(57)【特許請求の範囲】
【請求項１】
カードを駆動ローラで挟んでカード搬送路内を搬送することにより、そのカードをカード排出口より排出するカード搬送装置において、
カード搬送路が、カード排出口と駆動ローラの間の位置のその上面部分に、上側がフリーな状態でカードが排出された場合にカードのうち進行方向後尾側の端面が描く軌跡面と同様な弧状の内面を備えた凹部を有することを特徴とするカード搬送装置。
【請求項２】
凹部に備えた弧状の内面が、カード排出口に連通すると共に、カード排出口の部分のカードが通過する間隔とカード搬送路のうち凹部未形成部分のカードが通過する間隔とが、同じ間隔であることを特徴とする請求項１記載のカード搬送装置。
【請求項３】
凹部に備えた弧状の内面が、カード排出口に連通すると共に、凹部のカード排出口に連通する部分が、カード排出口のうち下側の部分よりカードの進行方向に向かって突出することを特徴とする請求項１又は請求項２記載のカード搬送装置。
【発明の詳細な説明】
【０００１】
【発明の属する技術分野】
本発明は、磁気カード等のカードを搬送して、カード排出口より１枚ずつ排出するカード搬送装置に関するものである。
【０００２】
【従来の技術】
磁気カード、ＩＣカード、光カード等の各種カードに記録された情報を読み出したり、情報を書き込むために、カードリーダー等が用いられており、このカードリーダー等にカードを１枚ずつ投入して搬送したり、そのカードを排出するために、カード搬送装置が用いられている。
【０００３】
このカード搬送装置としては、例えば図５に示すような、カード投入口１４やカード排出口１６に連通し、カード１０の厚みよりやや広い空隙よりなるカード搬送路１２と、そのカード搬送路１２に露出する回転可能な駆動ローラ１８ａ，１８ｂとを備え、カード搬送路１２内に投入されたカード１０を駆動ローラ１８ａで挟んで進行させることにより、記録再生ヘッド１９等の部分に搬送した後、そのカード１０を駆動ローラ１８ｂで挟んで進行させることによりカード排出口１６より排出する装置が用いられている。
【０００４】
しかし、このようなカード１０を駆動ローラ１８ａ・・で挟んで搬送するカード搬送装置の場合、カード１０がカード排出口１６から落下するときに、カード搬送路１２の上側の面にカード１０の端部が当たり、１０ａで示すカードのようにカード搬送路１２内で引っ掛かってしまい、排出されない場合があるという問題があった。
【０００５】
【発明が解決しようとする課題】
本発明は、上記問題点を改善するために成されたもので、その目的とするところは、カードを駆動ローラで挟んでカード搬送路内を搬送することにより、そのカードをカード排出口より排出するカード搬送装置であって、カード排出口からカードがスムーズに排出可能なカード搬送装置を提供することにある。
【０００６】
【課題を解決するための手段】
本発明の請求項１に係るカード搬送装置は、カードを駆動ローラで挟んでカード搬送路内を搬送することにより、そのカードをカード排出口より排出するカード搬送装置において、カード搬送路が、カード排出口と駆動ローラの間の位置のその上面部分に、上側がフリーな状態でカードが排出された場合にカードのうち進行方向後尾側の端面が描く軌跡面と同様な弧状の内面を備えた凹部を有することを特徴とする。
【０００７】
本発明の請求項２に係るカード搬送装置は、請求項１記載のカード搬送装置において、凹部に備えた弧状の内面が、カード排出口に連通すると共に、カード排出口の部分のカードが通過する間隔とカード搬送路のうち凹部未形成部分のカードが通過する間隔とが、同じ間隔であることを特徴とする。
【０００８】
本発明の請求項３に係るカード搬送装置は、請求項１又は請求項２記載のカード搬送装置において、凹部に備えた弧状の内面が、カード排出口に連通すると共に、凹部のカード排出口に連通する部分が、カード排出口のうち下側の部分よりカードの進行方向に向かって突出することを特徴とする。
【０００９】
【発明の実施の形態】
本発明に係るカード搬送装置を図面に基づいて説明する。図１は本発明に係るカード搬送装置の第１の実施の形態の要部を説明する正面図であり、図２は本発明に係るカード搬送装置の第２の実施の形態の要部を説明する正面図であり、図３は本発明に係るカード搬送装置の第３の実施の形態の要部を説明する正面図あり、図４は本発明に係るカード搬送装置の第３の実施の形態の、変形例を説明する正面図である。
【００１０】
本発明に係るカード搬送装置の第１の実施の形態は、図１に示すように、カード投入口やカード排出口１６に連通し、カード１０が通過する通路となるカード搬送路１２と、そのカード搬送路１２に露出する回転可能な駆動ローラ１８とを備え、カード搬送路１２内に投入されたカード１０を駆動ローラ１８で挟んでカード搬送路１２内を搬送することにより、そのカード１０をカード排出口１６より排出するカード搬送装置である。
【００１１】
カード排出口１６と駆動ローラ１８の間の位置のカード搬送路１２には、その上面部分に、弧状の内面を備えた凹部１３を有している。なお、この凹部１３に備えた弧状の内面は、上側がフリーな状態（カード搬送路１２の上面にカード１０が接触しない状態）でカード１０が排出される場合に、カード排出口１６の部分を支点としてｄの方向に回転するカード１０のうち、進行方向Ｆ後尾側の端面が描く軌跡面と同様な形状の面となっている。そのため、カード１０がカード排出口１６から排出される際には、この凹部１３の内面にカード１０の端面が当たった後、弧状の内面に沿ってカード１０がスムーズに回転するため、カード搬送路１２内でカード１０が引っ掛かり難くなっており、カード排出口１６からカード１０がスムーズに排出可能なカード搬送装置となっている。
【００１２】
なお、カード搬送路１２のカード排出口１６と連通する部分が、進行方向Ｆ先頭側に向かって次第に空隙が増加するような平面形状に形成されている場合も、カード搬送路１２内でカード１０が引っ掛かり難くなるが、本発明のように弧状に形成されていると、特にカード１０が引っ掛かり難くなり好ましいと共に、カード排出口１６に連通する部分のカード搬送路１２の空隙の大きさを、上記平面形状に形成する場合と比較して小さくすることができるため、強度的に優れ好ましい。
【００１３】
凹部１３に備えた弧状の内面は、上記軌跡面と同様な形状の面となっていることが重要であるが、本発明の目的を損なわない程度であれば、上記軌跡面から多少ずれた形状の面であってもかまわない。また、凹部１３を設ける位置は、カード排出口１６と駆動ローラ１８の間の位置のカード搬送路１２の上面部分であれば、特に限定するものではないが、カード１０を挟んで搬送する駆動ローラ１８を複数設ける場合には、そのうち、最もカード排出口１６に近い部分の駆動ローラ１８とカード排出口１６の間の位置に、上記のような凹部１３を設ける。
【００１４】
なお、上記実施の形態は、凹部１３に備えた弧状の内面が、カード排出口１６には連通せず、カード排出口１６と連通する部分は、空隙の大きさが一定の形状に形成された実施の形態であるが、図２に示すように、凹部１３に備えた弧状の内面が、カード排出口１６に連通すると共に、カード排出口１６の部分のカード１０が通過する間隔とカード搬送路１２のうち凹部未形成部分のカード１０が通過する間隔とが、同じ間隔となるように形成した場合、カード排出口１６からの埃等の侵入を防ぎながら、カード排出口１６からカード１０をスムーズに排出することが可能となり好ましい。
【００１５】
また、図３に示すように、凹部１３に備えた弧状の内面が、カード排出口１６に連通すると共に、凹部１３のカード排出口１６に連通する部分が、カード排出口１６のうち下側の部分よりカード１０の進行方向Ｆに向かって突出する場合、カード１０が凹部１３から離れるときにカード排出口１６のうち下側の部分が無い部分で離れることになるため、特にカード排出口１６からカード１０をスムーズに排出することが可能となり好ましい。
【００１６】
なお、この図３の実施の形態は、凹部１３に備えた弧状の内面が、カード排出口１６に連通する実施の形態であるが、図４に示すように、弧状の内面を備えた凹部１３を、カード排出口１６に連通せずに設けると共に、凹部１３のカード排出口１６側の部分を、カード排出口１６のうち下側の部分よりカード１０の進行方向Ｆに向かって突出するように形成し、且つ、カード搬送路１２の凹部１３とカード排出口１６とが連通する部分を、凹部１３のカード排出口１６側をカード１０の進行方向Ｆに延長した平面形状に形成しても良い。この場合も、特にカード排出口１６からカード１０をスムーズに排出することが可能となり好ましい。
【００１７】
また、上記実施の形態は、駆動ローラ１８をカード１０の一方の面に接触させることにより、カード搬送路１２の壁面と駆動ローラ１８とで挟んで搬送するようにした実施の形態を説明したが、駆動ローラ１８を、カード１０の両面から挟むように設けて搬送するようにしても良い。
【００１８】
【発明の効果】
本発明に係るカード搬送装置は、カード搬送路のうち、カード排出口と駆動ローラの間の位置のその上面部分に、上側がフリーな状態でカードが排出された場合にカードのうち進行方向後尾側の端面が描く軌跡面と同様な弧状の内面を備えた凹部を有するため、カード排出口からカードをスムーズに排出可能となる。
【００１９】
本発明の請求項２に係るカード搬送装置は、上記の効果に加え、カード排出口からの埃等の侵入を防ぐことが可能となる。
【００２０】
本発明の請求項３に係るカード搬送装置は、特にカード排出口からカードをスムーズに排出可能となる。
【図面の簡単な説明】
【図１】本発明に係るカード搬送装置の第１の実施の形態の要部を説明する正面図である。
【図２】本発明に係るカード搬送装置の第２の実施の形態の要部を説明する正面図である。
【図３】本発明に係るカード搬送装置の第３の実施の形態の要部を説明する正面図である。
【図４】本発明に係るカード搬送装置の第３の実施の形態の、変形例を説明する正面図である。
【図５】従来のカード搬送装置を説明する図であり、（ａ）は正面図、（ｂ）は平面図である。
【符号の説明】
１０  カード
１２  カード搬送路
１３  凹部
１４  カード投入口
１６  カード排出口
１８  駆動ローラ
１９  記録再生ヘッド
Ｆ    カードの進行方向
【図１】
0003700414.tif 000002
【図２】
0003700414.tif 000003
【図３】
0003700414.tif 000004
【図４】
0003700414.tif 000005
【図５】
0003700414.tif 000006